(57)【特許請求の範囲】
【請求項１】
外槽内に回転可能に設けられた内槽と、前記内槽の内底部中央に回転自在に配したパルセータと、前記内槽の内底部に設けられ前記パルセータの周縁を囲むように形成された略環状の平面部と、前記平面部の内方に設けられ前記パルセータを収納する底面凹部と、前記底面凹部の下面に設け外槽の下部の洗濯水を吸い上げるための吸水口と、前記底面凹部の周壁に設けられ前記吸水口から吸い上げた洗濯水を流出する流出口と、前記流出口を介して前記底面凹部と連接するように前記周壁の外側に設けた凹部と、前記凹部を覆うことにより循環水路を形成する内槽カバーと、前記循環水路と連通し前記内槽の上部で前記流出口より流出された洗濯水を前記内槽内に吐出する吐出口とを備え、前記内槽カバーは、前記流出口側に、前記略環状の平面部の一部を構成する平面部と前記底面凹部の周壁の一部を構成する面部とで形成される段部を有し、前記段部の前記循環水路側には、循環する前記洗濯水の流れ方向に沿って、前記循環水路内の断面が略均一となるように高さを設定したリブが複数形成された洗濯機。
【請求項２】
内槽カバーの段部において、平面部の一端と面部の一端とを連結するリブが形成された請求項１記載の洗濯機。
【請求項３】
リブとリブとの間を連結し段部の循環水路側に格子状のリブが設けられた請求項１の洗濯機。
【請求項４】
外槽内に回転可能に設けられた内槽と、前記内槽の内底部中央に回転自在に配したパルセータと、前記内槽の内底部に設けられ前記パルセータの周縁を囲むように形成された略環状の平面部と、前記平面部の内方に設けられ前記パルセータを収納する底面凹部と、前記底面凹部の下面に設け外槽の下部の洗濯水を吸い上げるための吸水口と、前記底面凹部の周壁に設けられ前記吸水口から吸い上げた洗濯水を流出する流出口と、前記流出口を介して前記底面凹部と連接するように前記周壁の外側に設けた凹部と、前記凹部を覆うことにより循環水路を形成する内槽カバーと、前記循環水路と連通し前記内槽の上部で前記流出口より流出された洗濯水を前記内槽内に吐出する吐出口とを備え、前記内槽カバーは、前記流出口側に、前記略環状の平面部の一部を構成する平面部と前記底面凹部の周壁の一部を構成する面部とで形成される段部を有し、前記段部の前記循環水路側には、循環する前記洗濯水の流れ方向に沿って、前記平面部の一端と前記面部の一端とを連結する内壁面が形成された洗濯機。
【発明の詳細な説明】
【０００１】
【発明の属する技術分野】
本発明は、洗濯液をパルセータの回転により循環させて洗い、すすぎをする洗濯機に関するものである。
【０００２】
【従来の技術】
従来、この種の洗濯機は図７から図１０に示すような構成が一般的であった。以下、その構成について説明する。
【０００３】
図７に示すように、内槽１は、略円筒形状を有していて、中央底部にパルセータ２を回転自在に配設している。内槽１の内壁部には循環水路３を形成する内槽カバー４を挿着しており、上部には内槽カバー４とともに吐出口５を形成する略環状のバランサー６を内槽１に溶着により固着している。パルセータ２は下面に裏羽根７を設けている。内槽１の内底部にはこのパルセータ２の周縁を囲むように略環状の平面部２５を形成し、その内方にパルセータを収納する底面凹部２６を設けている。この底面凹部２６の下面に吸水口を、外周壁には流出口２７を設け、前記流出口２７と連接する凹部を内槽壁面に沿って縦長に形成し、前記凹部を内槽カバー４で覆うことにより内槽１上部で吐出口５と連絡した循環水路３を形成している。
【０００４】
外槽８は内槽１を内包し、上部に上部カバー９をバランサー６を覆うように設け、外底部に基板１０を装着している。基板１０にモータ１１、駆動機構部１２、排水弁１３などを配設し、基板１０の外縁部は、防振装置１４、吊り棒１５を介して外枠１６の上部角隅より垂下支持している。排水口１７は、外槽８の底部に設けており、排水弁１３を介して排水ホース１８により機外へと連通している。
【０００５】
内槽カバー４は、図８に示すように、下部と中央部にそれぞれ突起（係止部）１９と爪（係止部）２０とを設け、内槽１に設けた凹部２１、２２に、図９（ａ）（ｂ）に示すように、それぞれ挿着して内槽カバー４を内槽１に取着している。内槽カバー４の上端に嵌合爪２３を設け、この嵌合爪２３をバランサー６に設けた凹部２４に、図９（ｃ）に示すように、挿着している。
【０００６】
上記構成において動作を説明すると、洗いまたはすすぎ行程においては、衣類と洗剤を内槽１内に投入後、運転を開始すると、所定の水位まで自動給水した後モータ１１が回転し、このモータ１１の回転力により駆動機構部１２を介してパルセータ２を回転駆動し衣類を攪拌する。ここで、パルセータ２の回転に伴い、パルセータ２の下面に設けた裏羽根７が外槽８の下部の洗濯液を吸い上げ、循環水路３を通り吐出口５より吐出させ、再び水面に落下させることにより洗濯液を循環させつつ、洗剤の溶解を促進する。或いは、吐出口５にフィルタ−（図示せず）を装着することで、衣類から発生する糸くずを採集可能としている。
【０００７】
一方、脱水行程においては、排水弁１３の開閉動作に連動して駆動機構部１２に内蔵したクラッチが切り換わり、内槽１をモータ１１の回転力により駆動機構部１２を介して回転駆動する。そこで、内槽１内の衣類は回転による遠心力によって内槽１の内周面に押しつけられ、衣類の脱水を行う。脱水液は内槽１に設けた穴（図示せず）より内槽１から外槽８へ移動し、外槽８下部の排水口１７から排水弁１３を介して排水ホース１８を通り、機外へ放出される。
【０００８】
【発明が解決しようとする課題】
このような従来の構成では、内槽カバーの形状を内槽１底部に設けられた略環状の平面部に連なりかつパルセータの外周側壁に対応させ、循環水路３の流出口２７は異物がパルセ−タ２との隙間より中に入らないように図１０に示すような段部２９を形成している。このため、パルセータの回転により流出口から循環水路へ導入される循環水の内、この段部２９を形成する循環水路４の内壁に沿って流れ込む循環水が、段部内壁面を形成するそれぞれの面と衝突し乱流を発生させる。
【０００９】
特にこの段部２９は、パルセータ２の回転により循環水が最も勢いを持っている循環水路の流出口近傍にあるため、乱流も激しく生じ、この乱流により段部内壁面から離れた循環水路内部を流出口から吐出口へ層流を形成して流れる循環水の流れを乱し、吐出口５より出る水量及びその吐出勢いを激減させていた。
【００１０】
その結果、吐出口から吐出される循環水を洗濯またはすすぎに用いる場合、水面上に露出した衣類に万遍なく循環水を振りかけるためその開口を内槽外周に沿って広域に形成した吐出口から吐出される循環水は、扇状に形成されず、また、パルセータの回転に連動して内槽壁面から中心部への循環水の移動も、循環水の吐出力が低下しているため、内槽壁面近傍を僅かに移動するだけとなってしまう。
【００１１】
さらに、吐出口にフィルターを装着し、衣類から出る糸屑を回収する場合も、循環水量が激減するため、糸屑回収率も低下する。
【００１２】
本発明は上記課題を解決するもので、内槽カバーの段部による循環水路内の乱流を防止し、循環水量の向上を図り、吐出口から吐出されるシャワーによる洗濯及びすすぎ効果を向上させ、また、糸屑の回収率の向上を図るものである。
【００１３】
【課題を解決するための手段】
本発明は上記の目的を達成するために、内槽カバーの段部の循環水路側に循環水の流れを規制するリブを設け、パルセータの回転による循環水の循環水路への導入の水流の勢いの最も強い位置で循環水を規制し、内槽カバーの段部による循環水路内の乱流の発生を防止することができる。
【００１４】
【発明の実施の形態】
上記課題を解決するために本発明の請求項１記載の発明は、外槽内に回転可能に設けられた内槽と、前記内槽の内底部中央に回転自在に配したパルセータと、前記内槽の内底部に設けられ前記パルセータの周縁を囲むように形成された略環状の平面部と、前記平面部の内方に設けられ前記パルセータを収納する底面凹部と、前記底面凹部の下面に設け外槽の下部の洗濯水を吸い上げるための吸水口と、前記底面凹部の周壁に設けられ前記吸水口から吸い上げた洗濯水を流出する流出口と、前記流出口を介して前記底面凹部と連接するように前記周壁の外側に設けた凹部と、前記凹部を覆うことにより循環水路を形成する内槽カバーと、前記循環水路と連通し前記内槽の上部で前記流出口より流出された洗濯水を前記内槽内に吐出する吐出口とを備え、前記内槽カバーは、前記流出口側に、前記略環状の平面部の一部を構成する平面部と前記底面凹部の周壁の一部を構成する面部とで形成される段部を有し、前記段部の前記循環水路側には、循環する前記洗濯水の流れ方向に沿って、前記循環水路内の断面が略均一となるように高さを設定したリブが複数形成されたもので、この複数のリブによりパルセータの回転により循環水路へ導入される循環水を最も水流の勢いの強い位置で規制し、内槽カバーの段部による循環水路内の乱流の発生を防止することができる。
【００１５】
本発明の請求項２記載の発明は、請求項１記載の発明に加え、内槽カバーの段部において、平面部の一端と面部の一端とを連結するリブが形成されたものであり、内槽カバーの段部に沿って循環水路へ導入される循環水を途切れることなくリブによりその流れを規制し、循環水の流れの規制力を強化することができるものである。
【００１６】
本発明の請求項３記載の発明は、請求項１記載の発明に加えて、リブとリブとの間を連結し段部の循環水路側に格子状のリブを設けたものであり、内槽カバーの段部内にこの格子状のリブを形成することにより、パルセータの回転により循環水路へ導入される循環水が段部へ沿って移動することを阻止することにより、循環水路内の乱流発生を防止するものである。
【００１７】
本発明の請求項４記載の発明は、外槽内に回転可能に設けられた内槽と、前記内槽の内底部中央に回転自在に配したパルセータと、前記内槽の内底部に設けられ前記パルセータの周縁を囲むように形成された略環状の平面部と、前記平面部の内方に設けられ前記パルセータを収納する底面凹部と、前記底面凹部の下面に設け外槽の下部の洗濯水を吸い上げるための吸水口と、前記底面凹部の周壁に設けられ前記吸水口から吸い上げた洗濯水を流出する流出口と、前記流出口を介して前記底面凹部と連接するように前記周壁の外側に設けた凹部と、前記凹部を覆うことにより循環水路を形成する内槽カバーと、前記循環水路と連通し前記内槽の上部で前記流出口より流出された洗濯水を前記内槽内に吐出する吐出口とを備え、前記内槽カバーは、前記流出口側に、前記略環状の平面部の一部を構成する平面部と前記底面凹部の周壁の一部を構成する面部とで形成される段部を有し、前記段部の前記循環水路側には、循環する前記洗濯水の流れ方向に沿って、前記平面部の一端と前記面部の一端とを連結する内壁面が形成されたものであり、内槽カバー段部に沿って循環水路へ導入される循環水をなくし、全ての循環水が吐出口へ向かって同一方向へ流れるようにしたものである。
【００１８】
【実施例】
以下、本発明の第１の実施例を図１から図５を参照しながら説明する。なお、従来例と同じ構成のものは同一符号を付して説明を省略する。
【００１９】
図１から図５に示すように、内槽カバー４が循環水路３の流出口２７と連接する下端部に設けられた段部２９の循環水路側には、循環水の流れ方向に沿って複数のリブ２８を形成するもので、この複数のリブ２８によりパルセータの回転により循環水路へ導入される循環水を最も水流の勢いの強い位置で規制し、内槽カバー４の段部２９による循環水路３内の乱流の発生を防止することができる。
【００２０】
このリブ２８は、段部２９の両端を連結するものであり、内槽カバー４の段部２９に沿って循環水路へ導入される循環水を途切れることなくこれらのリブ２８によりその流れを規制し、循環水の流れの規制力を強化することができるものである。また、このリブ２８は、内槽１の内壁との循環水路３内の隙間を略均一にするような高さで設け、循環水の流れ方向と平行に内槽カバー４と一体に設けている。
【００２１】
上記構成において、複数のリブ２８をパルセータ収納部からの流出口２７でありかつ循環水路３への流出口２４と連接する内槽カバー４の段部２９の循環水路側に設けているため、循環水路３内は流れ方向に略均一の略断面水路となり、乱流を低減できる。さらに、このリブ２８により、最も水流の勢いの強い位置で循環水を規制し、内槽カバー４の段部２９による循環水路３内の乱流の発生を防止することができた。このリブ２８の存在により、乱流の発生が激減し、パルセータ２の回転による循環水が循環水路３を上昇する水流の勢いが妨げられることなく最大限に利用することができるので、循環水量及びその吐出勢いが損なわれることがなくなる。
【００２２】
例えば、パルセ−タ２を１秒回転したときの循環水量は、従来の４００ｃｃに対して、本発明のリブを設けることで４４０ｃｃとなり、１０％の向上ができ、このため、吐出口５のフィルタ−装着の場合は、糸くず回収率が６３．５％から６９．９％と向上できた。さらに、洗濯液の循環が多くなるため、従来内槽１および外槽８間にとどまっていた洗剤の溶解性を促進し、洗濯性能の向上が図れる。また、さらに、吐出勢いが増すために、水面上に露出した衣類に万遍なく循環水を振りかけるためその開口を内槽外周に沿って広域に形成した吐出口から吐出される循環水も、その開口全面から吐出し、水面上を充分覆うような扇状に形成され、水面上の衣類に万遍なく洗濯水またはすすぎのための水を行き渡らせることができる。また、パルセータの回転に連動して内槽壁面から中心部への循環水の移動も、循環水の吐出力が充分あるため、内槽壁面近傍から中心までを勢いよく移動し、それが繰り返されることにより、衣類の洗浄むらおよびすすぎむらを防止することができる。さらに、なおかつ、本実施例のリブ２８は、内槽カバー４と一体に形成するため、別部品を設けることなく、コストアップをせずに上記した性能の向上を図ることができる。
【００２３】
つぎに、本発明の第２の実施例を図６を参照しながら説明する。
【００２４】
図６に示すように、第１の実施例で示したリブとリブとの間を連結し段部２９の循環水路３側に全体として格子状のリブ３０を設けたものである。このリブ３０は、内槽カバー４と一体的に設けるものである。内槽カバーの段部２９内にこの格子状のリブ３０を形成することにより、パルセータ２の回転により循環水路３へ導入される循環水が段部２９へ沿って移動することを阻止することにより、循環水路３内の乱流発生を防止するものである。内槽カバー４の下部に、内槽１の内壁との循環水路３内の隙間を略均一にするような格子状のリブ３０を一体に設けている。
【００２５】
上記構成において、第１の実施例によるリブ２８により、最も水流の勢いの強い位置で規制された循環水は、さらに、そのリブ２８間を連結した格子状リブ３０により、段部２９に沿って流れることができなくなり、乱流を発生することなく、そのまま循環水路３を上昇するため、さらに、循環水量および吐出勢いが増すこととなる。
【００２６】
このため、例えば、パルセ−タ２を１秒回転したときの循環水量は、従来の４００ｃｃに対して、本発明のリブを設けることで４６０ｃｃとなり、１５％の向上ができ、この循環水量の増加により、吐出口５のフィルタ−装着の場合は、糸くず回収率が６３．５％から７３％とさらに向上できる。さらに洗剤の溶解性の向上および吐出勢いの増加による循環水の吐出範囲の増加などの効果が増すことは言うまでもない。
【００２７】
次に、第３の実施例として、これまでに述べている段部２９の循環水路側に、循環水の流れ方向に沿って段部の両端を連結し循環水路の内壁面を形成することにより、パルセータ２に対応する段部２９を残したまま、循環水路側の段部２９をなくし平面化して、内槽カバー４の段部２９に沿って循環水路３へ導入される循環水をなくし、全ての循環水が吐出口へ向かって同一方向へ流れるようにした構成にしたものである。
【００２８】
この構成により、段部２９により発生していた乱流はまったく生ずることがなくなり、さらに高い洗浄効果及び糸屑除去効果を期待することができる。
【００２９】
【発明の効果】
以上より、本発明の請求項１記載の発明は、段部の循環水路側に、循環水の流れ方向に沿って複数のリブを形成するもので、この複数のリブによりパルセータの回転により循環水路へ導入される循環水を最も水流の勢いの強い位置で規制し、内槽カバーの段部による循環水路内の乱流の発生を防止することができる。これにより、循環水量が増し、かつ吐出勢いが増すため、洗剤の溶解率向上及び洗濯水の吐出範囲の拡大により洗浄効率が向上し、洗浄むらも防止できる。さらに糸屑の回収率の向上も図ることができる。
【００３０】
本発明の請求項２記載の発明は、請求項１記載の発明に加え、内槽カバーの段部において、平面部の一端と面部の一端とを連結するリブが形成されたものであり、内槽カバーの段部に沿って循環水路へ導入される循環水を途切れることなくリブによりその流れを規制し、循環水の流れの規制力を強化することができるものである。これによりさらに、洗浄率及び糸屑回収率の向上がはかれる。
【００３１】
本発明の請求項３記載の発明は、請求項１記載の発明に加えて、リブとリブとの間を連結し段部の循環水路側に格子状のリブを設けたものであり、内槽カバーの段部内にこの格子状のリブを形成することにより、パルセータの回転により循環水路へ導入される循環水が段部へ沿って移動することを阻止することにより、循環水路内の乱流発生を防止するものである。
【００３２】
本発明の請求項４記載の発明は、外槽内に回転可能に設けられた内槽と、前記内槽の内底部中央に回転自在に配したパルセータと、前記内槽の内底部に設けられ前記パルセータの周縁を囲むように形成された略環状の平面部と、前記平面部の内方に設けられ前記パルセータを収納する底面凹部と、前記底面凹部の下面に設け外槽の下部の洗濯水を吸い上げるための吸水口と、前記底面凹部の周壁に設けられ前記吸水口から吸い上げた洗濯水を流出する流出口と、前記流出口を介して前記底面凹部と連接するように前記周壁の外側に設けた凹部と、前記凹部を覆うことにより循環水路を形成する内槽カバーと、前記循環水路と連通し前記内槽の上部で前記流出口より流出された洗濯水を前記内槽内に吐出する吐出口とを備え、前記内槽カバーは、前記流出口側に、前記略環状の平面部の一部を構成する平面部と前記底面凹部の周壁の一部を構成する面部とで形成される段部を有し、前記段部の前記循環水路側には、循環する前記洗濯水の流れ方向に沿って、前記平面部の一端と前記面部の一端とを連結する内壁面が形成されたものであり、内槽カバー段部に沿って循環水路へ導入される循環水をなくし、全ての循環水が吐出口へ向かって同一方向へ流れるようにしたものである。
【００３３】
請求項３及び４記載の発明により、循環水路内の乱流を防止し、循環水量の向上を図り、フィルタ−を装着した場合は糸くずの回収を向上させることができ、或いは、広域の吐出口の場合は吐出範囲を拡大させることができ、洗剤の溶解性を促進し、洗濯性能の向上が図れる。なおかつ、別部品を設けることなく、コストアップをせずに性能向上を図ることができる。
【図面の簡単な説明】
【図１】  本発明の実施例の洗濯機の断面図
【図２】  本発明の第１の実施例の洗濯機の要部拡大断面図
【図３】  同洗濯機の内槽カバーの下部を示す拡大側面図
【図４】  同洗濯機の内槽カバーの下部を示す拡大平面図
【図５】  同洗濯機の内槽カバーの下部を示す拡大斜視図
【図６】  本発明の第３の実施例の洗濯機の内槽カバーの下部を示す拡大斜視図
【図７】  従来の洗濯機の断面図
【図８】  同洗濯機の内槽の一部切欠した拡大分解斜視図
【図９】  同洗濯機の内槽カバーの係止状態を示す拡大断面図
【図１０】  同洗濯機の要部拡大断面図
【符号の説明】
１  内槽
２  パルセータ
３  循環水路
４  内槽カバ−
５  吐出口
８  外槽
２７  流出口
２８  リブ
２９  段部
３０  格子状リブ
【図１】
0003726349.tif 000002
【図２】
0003726349.tif 000003
【図３】
0003726349.tif 000004
【図４】
0003726349.tif 000005
【図５】
0003726349.tif 000006
【図６】
0003726349.tif 000007
【図７】
0003726349.tif 000008
【図８】
0003726349.tif 000009
【図９】
0003726349.tif 000010
【図１０】
0003726349.tif 000011